(57)【要約】      （修正有）【課題】組立て、分解が簡単であるとともに、分解時にコンパクトになり、狭いスペースでも格納できる簡易式組立てベッドを提供する。【解決手段】ベッド１０の長手方向に配置される横方向下段ベッドフレーム１５と、横方向下段ベッドフレーム１５の垂直部１４に接続される垂直方向接続部１８および水平方向接続部１９に接続されて延長する縦方向下段ベッドフレームと、基本的に横方向下段ベッドフレーム１５と同一構造の横方向上段ベッドフレーム３０と、横方向上段ベッドフレーム３０の垂直部に接続される垂直方向接続部および水平方向接続部に接続されて延長する縦方向上段ベッドフレームと、縦方向下段ベッドフレームと縦方向上段ベッドフレームに接続され、下段側ベッドフレーム１１ａと上段側ベッドフレーム１１ｂとを間隔を存して支持する支柱２７と、下段側ベッドフレーム１１ａおよび上段側ベッドフレーム１１ｂに張設される床部シートとを具備した。【選択図】図１
2009240719.tif 000002
【特許請求の範囲】
【請求項１】
複数本のパイプを着脱可能に接続して構成されるベッドフレームと、このベッドフレームに張設され、人間が横臥できる床部シートとからなる長方形状の組立て式簡易ベッドであって、
パイプを折曲して形成され、水平部とこの水平部の両端部から上方へ突出する垂直部を有し、前記水平部をベッドの長手方向と直交する方向にして該ベッドの長手方向に所定間隔を存して配置される複数本の横方向下段ベッドフレームと、
前記横方向下段フレームの垂直部に着脱可能に接続される垂直方向接続部およびこの垂直方向接続部に対して直角の水平方向接続部を有する接続金具を備え、前記水平方向接続部に接続されて左右方向に延長するパイプからなる縦方向下段ベッドフレームと、
パイプを折曲して形成され、水平部とこの水平部の両端部から上方へ突出する垂直部を有し、前記水平部をベッドの長手方向と直交する方向にして該ベッドの長手方向に所定間隔を存して配置される複数本の横方向上段ベッドフレームと、
前記横方向上段フレームの垂直部に着脱可能に接続される垂直方向接続部およびこの垂直方向接続部に対して直角の水平方向接続部を有する接続金具を備え、前記水平方向接続部に接続されて左右方向に延長するパイプからなる縦方向上段ベッドフレームと、
パイプからなり、下端部が前記縦方向下段ベッドフレームの垂直方向接続部と着脱可能に接続され、上端部が前記縦方向上段ベッドフレームの垂直方向接続部と着脱可能に接続され、下段側ベッドフレームと上段側ベッドフレームとを間隔を存して水平に支持する複数本の支柱と、
前記縦方向下段ベッドフレームと横方向下段ベッドフレームによって構成される下段側ベッドフレームおよび前記縦方向上段ベッドフレームと横方向上段ベッドフレームによって構成される上段側ベッドフレームにそれぞれ張設される床部シートと、
を具備したことを特徴とする組立て式簡易ベッド。
【請求項２】
請求項２は、前記接続金具は、板金によって形成された略逆三角形状で、横方向フレーム部材を固定する垂直方向接続部と、垂直方向フレーム部材を固定する水平方向接続部を一体に設け、垂直方向フレーム部材の横方向の傾倒を防止する構造であることを特徴とする請求項１記載の組立て式簡易ベッド。
【請求項３】
前記床部シートは、長方形状の布地であり、その長手方向に沿う両側縁部には前記縦方向下段ベッドフレームおよび前記縦方向上段ベッドフレームが挿入される袋状部が設けられていることを特徴とする請求項１記載の組立て式簡易ベッド。
【発明の詳細な説明】
【技術分野】
【０００１】
本発明は、組立て、分解が簡単であり、災害時に担架として、二段ベッドとしても用いられる組立て式簡易ベッドに関する。
【背景技術】
【０００２】
不使用時は分解して格納でき、使用時には組立てることにより、人間が横臥できる簡易ベッドが知られている（例えば、特許文献１参照。）。特許文献１の簡易ベッドは、矩形状に構成された床ユニットの下部に略Ｕ字状に構成された脚部材が設けられている。床ユニットはベッドの横方向および縦方向に配置される複数枚の床部材によって構成され、各床部材の下面には脚部材が着脱可能に設けられている。
【特許文献１】特開２００３−２２５１４２４号公報
【発明の開示】
【発明が解決しようとする課題】
【０００３】
しかしながら、特許文献１の簡易ベッドは、床ユニットが複数枚の床部材によって構成され、各床部材の下面には脚部材が着脱可能に設けられている。したがって、不使用時に分解して格納するにしても複数枚の床部材が嵩張り、広い格納スペースを必要とし、また、組み立てた状態で移動するにしても重量があり、持ち運びが困難である。
【０００４】
本発明は、前記事情に着目してなされたもので、その目的とするところは、組立て、分解が簡単であるとともに、分解時にコンパクトになり、狭いスペースでも格納でき、さらに二段ベッド、担架としても使用できる組立て式簡易ベッドを提供することにある。
【課題を解決するための手段】
【０００５】
本発明は、前記目的を達成するために、請求項１は、複数本のパイプを着脱可能に接続して構成されるベッドフレーム１１と、このベッドフレーム１１に張設され、人間が横臥できる床部シート１２とからなる長方形状の組立て式簡易ベッド１０であって、
パイプを折曲して形成され、水平部１３とこの水平部１３の両端部から上方へ突出する垂直部１４を有し、前記水平部１３をベッド１０の長手方向と直交する方向にして該ベッド１０の長手方向に所定間隔を存して配置される複数本の横方向下段ベッドフレーム１５と、前記横方向下段フレーム１５の垂直部１４に着脱可能に接続される垂直方向接続部１８およびこの垂直方向接続部１８に対して直角の水平方向接続部１９を有する接続金具１７を備え、前記水平方向接続部１９に接続されて左右方向に延長するパイプ２０からなる縦方向下段ベッドフレーム１６，２１と、パイプを折曲して形成され、水平部２８とこの水平部２８の両端部から上方へ突出する垂直部２９を有し、前記水平部２８をベッド１０の長手方向と直交する方向にして該ベッド１０の長手方向に所定間隔を存して配置される複数本の横方向上段ベッドフレーム３０と、前記横方向上段ベッドフレーム３０の垂直部２９に着脱可能に接続される垂直方向接続部３４およびこの垂直方向接続部３４に対して直角の水平方向接続部３５を有する接続金具３３を備え、前記水平方向接続部３５に接続されて左右方向に延長するパイプからなる縦方向上段ベッドフレーム３２，３７と、パイプからなり、下端部が前記縦方向下段ベッドフレーム１６の垂直方向接続部１８と着脱可能に接続され、上端部が前記縦方向上段ベッドフレーム３２の垂直方向接続部３４と着脱可能に接続され、下段側ベッドフレーム１１ａと上段側ベッドフレーム１１ｂとを間隔を存して水平に支持する複数本の支柱２７と、前記縦方向下段ベッドフレーム１６，２１と横方向下段ベッドフレーム１５によって構成される下段側ベッドフレーム１１ａおよび前記縦方向上段ベッドフレーム３２，３７と横方向上段ベッドフレーム３０によって構成される上段側ベッドフレーム１１ｂにそれぞれ張設される床部シート１２とを具備したことを特徴とする組立て式簡易ベッドにある。
【０００６】
請求項２は、請求項１の接続金具１７、３３は、板金によって形成された略逆三角形状で、横方向フレーム部材を固定する垂直方向接続部と、垂直方向フレーム部材を固定する水平方向接続部を一体に設け、前記垂直方向フレーム部材の横方向の傾倒を防止する構造であることを特徴とする。
【０００７】
請求項３は、請求項１の前記床部シート１２は、長方形状の布地であり、その長手方向に沿う両側縁部には前記縦方向下段ベッドフレーム１６，２１および前記縦方向上段ベッドフレーム３２，３７が挿入される袋状部が設けられていることを特徴とする。
【発明の効果】
【０００８】
本発明によれば、組立て、分解が簡単であるとともに、分解時にコンパクトになり、狭いスペースでも格納できる。さらに、フレームがパイプで、横臥する床部が布地で形成されているため、軽量であり、二段ベッド、担架としても使用できるという効果がある。         
【発明を実施するための最良の形態】
【０００９】
以下、本発明の実施の形態を図面に基づいて説明する。
【００１０】
図１は組立て式簡易ベッドの組立て時の斜視図、図２は下段ベッドフレームと上段ベッドフレームとを分離した状態の斜視図、図３は下段ベッドフレームと上段ベッドフレームとを分離し、担架とした状態の斜視図ある。
【００１１】
図１〜図３に示すように、組立て式簡易ベッド（以下、単にベッド１０という）は、複数本のパイプを着脱可能に接続して構成されるベッドフレーム１１と、このベッドフレーム１１に張設され、人間が横臥できる床部シート１２とから構成されている。
【００１２】
まず、図６〜図８に基づいて、ベッドフレーム１１の下段側ベッドフレーム１１ａを構成する部材について説明すると、アルミニウム等の軽量金属パイプを折曲することにより、水平部１３と、この水平部１３の両端部を上方へ略直角に折曲して垂直部１４を形成した４本組の横方向下段ベッドフレーム１５が設けられている（図６（ａ）参照）。さらに、垂直部１４の外側部には支持脚１４ａが垂直方向に固定され、横方向下段ベッドフレーム１５の安定化を図っている。そして、４本の横方向下段ベッドフレーム１５は、水平部１３をベッド１０の長手方向と直交する方向にして該ベッド１０の長手方向に所定間隔を存して配置されるようになっている。
【００１３】
横方向下段フレーム１５の垂直部１４に着脱可能に接続される第１の縦方向下段ベッドフレーム１６は、側面視で、略逆三角形状の接続金具１７を有している。この接続金具１７は１枚の金属板をプレス成形することにより、中間部に半円弧状に湾曲した垂直方向接続部１８が設けられ、この垂直方向接続部１８の左右には該垂直方向接続部１８と一体に左右方向に突出する固定部１９が設けられている。そして、接続金具１７は、第１の縦方向下段ベッドフレーム１６を構成するパイプ２０の側面にリベット等によって固定され、垂直方向接続部１８は垂直方向に開口する開口部１８ａを有している。したがって、接続金具１７は、略逆三角形状あるいはＴ字状に形成されているため、ベッドフレーム１１の横方向に加わる荷重を受けることができ、大きな耐荷重が得られる。
【００１４】
垂直方向接続部１８の開口部１８ａは横方向下段フレーム１５の垂直部１４に接続可能であり、締付けねじ１８ｂによって固定されるようになっている。したがって、第１の縦方向下段ベッドフレーム１６はパイプ２０の長手方向の略中間部に１個の接続金具１７が設けられた合計４本組である（図６（ｂ）参照）。
【００１５】
横方向下段フレーム１５の垂直部１４に着脱可能に接続される第２の縦方向下段ベッドフレーム２１は、前記接続金具１７と同一形状の２個の接続金具２２が設けられている。これら接続金具２２は１枚の金属板をプレス成形することにより、中間部に半円弧状に湾曲した垂直方向接続部２３が設けられ、この垂直方向接続部２３の左右には該垂直方向接続部２３と一体に左右方向に突出する固定部２４が設けられている。
【００１６】
そして、接続金具２２は、第２の縦方向下段ベッドフレーム２１を構成するパイプ２５の側面にリベット等によって固定され、垂直方向接続部２３は垂直方向に開口する開口部２３ａを有している。したがって、接続金具２２は、略逆三角形状あるいはＴ字状に形成されているため、ベッドフレーム１１の横方向に加わる荷重を受けることができ、大きな耐荷重が得られる。
【００１７】
垂直方向接続部２３の開口部２３ａは横方向下段フレーム１５の垂直部１４に接続可能であり、２個の接続金具２２はパイプ２５によって連結された構造である。さらに、パイプ２５の長手方向の両端部にはパイプ２５より僅かに小径の挿入部２６ａが設けられている。
【００１８】
したがって、第２の縦方向下段ベッドフレーム２１はパイプ２５の両端部に接続金具２２,２２を有し、これら接続金具２２よりさらに外側の端部には挿入部２６ａが設けられている。この第２の縦方向下段ベッドフレーム２１は、前記第１の縦方向下段ベッドフレーム１６の間に配置されるものであり、合計２本組である（図６（ｃ）参照）。
【００１９】
さらに、前記接続金具１７，２２の垂直方向接続部１８，２３に接続される支柱２７は直管のパイプからなり、両端部には僅かに小径の挿入部２７ａ，２７ｂが設けられている。そして、支柱２７の一方の挿入部２７ａは接続金具１７，２２の垂直方向接続部１８，２３における開口部１８ａ，２３ａに嵌合され、垂直方向に支持される合計８本組である（図７（ａ）参照）。
【００２０】
次に、ベッドフレーム１１の上段側ベッドフレーム１１ｂを構成する部材について説明すると、アルミニウム等の軽量金属パイプを折曲することにより、水平部２８と、この水平部２８の両端部を上方へ略直角に折曲して垂直部２９を形成した４本組の横方向上段ベッドフレーム３０が設けられている（図７（ｂ）参照）。さらに、垂直部２９の外側部には連結パイプ３１が垂直方向に固定され、支柱２７の上端側の挿入部２７ｂに嵌合される嵌合部３１ａが設けられている。そして、４本の横方向上段ベッドフレーム３０は、水平部２８をベッド１０の長手方向と直交する方向にして該ベッド１０の長手方向に所定間隔を存して配置されるようになっている。
【００２１】
横方向上段ベッドフレーム３０の連結パイプ３１の嵌合部３１ａに着脱可能に接続される第１の縦方向上段ベッドフレーム３２は、第１の縦方向下段ベッドフレーム１６と同一構造であり、側面視で、略逆三角形状の接続金具３３を有している。この接続金具３３は１枚の金属板をプレス成形することにより、中間部に半円弧状に湾曲した垂直方向接続部３４が設けられ、この垂直方向接続部３４の左右には該垂直方向接続部３４と一体に左右方向に突出する固定部３５が設けられている。そして、接続金具３３は、第１の縦方向上段ベッドフレーム３２を構成するパイプ３６の側面にリベット等によって固定され、垂直方向接続部３４は垂直方向に開口する開口部３４ａを有している。接続金具３３は、略逆三角形状あるいはＴ字状に形成されているため、ベッドフレーム１１の横方向に加わる荷重を受けることができ、大きな耐荷重が得られる。したがって、第１の縦方向上段ベッドフレーム３２はパイプ３６の長手方向の略中間部に接続金具３３が設けられた合計４本組である（図７（ｃ）参照）。
【００２２】
横方向上段ベッドフレーム３０の開口部３５ａ，３５ｂに着脱可能に接続される第２の縦方向上段ベッドフレーム３７は、前記接続金具３３と同一形状の２個の接続金具３８を有しており、これら接続金具３８は１枚の金属板をプレス成形することにより、中間部に半円弧状に湾曲した垂直方向接続部３９が設けられ、この垂直方向接続部３９の左右には該垂直方向接続部３９と一体に左右方向に突出する固定部４０が設けられている。
【００２３】
そして、接続金具３８は、第２の縦方向上段ベッドフレーム３７を構成するパイプ４１の側面にリベット等によって固定され、垂直方向接続部３９は垂直方向に開口する開口部３９ａを有している。したがって、接続金具３８は、略逆三角形状あるいはＴ字状に形成されているため、ベッドフレーム１１の横方向に加わる荷重を受けることができ、大きな耐荷重が得られる。
【００２４】
垂直方向接続部３９の開口部３９ａは横方向上段フレーム３０の垂直部３１に接続可能であり、２個の接続金具３８はパイプ４１によって連結された構造である。さらに、パイプ４１の長手方向の両端部にはパイプ４１より僅かに小径の挿入部４２ａが設けられている。
【００２５】
したがって、第２の縦方向上段ベッドフレーム３７はパイプ４１の両端部に接続金具３８を有し、これら接続金具３８よりさらに外側の端部には挿入部４２ａが設けられている。この第２の縦方向上段ベッドフレーム３７は、前記第１の縦方向上段ベッドフレーム３２の間に配置されるものであり、合計２本組である（図７（ｄ）参照）。
【００２６】
図９中４３ａ，４３ｂは布地等によって形成された同一形状の下段用と上段用の床部シートであり、大人が横臥できるサイズの長方形状に縫製されている。床部シート４３ａ，４３ｂの長手方向に沿う両側縁部には袋状部４４が設けられている。袋状部４４には接続金具１７，２２，３３，３８を逃げるように複数の切欠部４５が設けられ、これら切欠部４５にはパイプ２０,２５，２６,３６，４１，４２が挿入される開口（図示しない）が設けられている。そして、下段側ベッドフレーム１１ａおよび上段側ベッドフレーム１１ｂにそれぞれ張設されるようになっている。
【００２７】
次に、ベッド１０の組立て方法について説明する。
【００２８】
まず、４本組の横方向下段ベッドフレーム１５をその水平部１３が平行となるようにベッド１０の長手方向と直交する方向にし、かつベッド１０の長手方向に所定間隔を存して配置する。次に、第１の縦方向下段ベッドフレーム１６と第２の縦方向下段ベッドフレーム２１のパイプ２０,２５,２６を床部シート４３ａの袋状部４４に挿入する。
【００２９】
この状態で、図４および図５に示すように、横方向下段ベッドフレーム１５の垂直部１４に第１の縦方向下段ベッドフレーム１６の接続金具１７に設けられた垂直方向接続部１８の開口部１８ｂを嵌合するとともに、第２の縦方向下段ベッドフレーム２１の接続金具２２に設けられた垂直方向接続部２３の開口部２３ｂを嵌合する。そして、締付けねじ１８cを締め付けると、４本組の横方向下段ベッドフレーム１５は左右の第１の縦方向下段ベッドフレーム１６と第２の縦方向下段ベッドフレーム２１によって間隔を存して連結され、下段側ベッドフレーム１１ａが構成される。
【００３０】
次に、下段側ベッドフレーム１１ａの全ての接続金具１７の垂直方向接続部１８の開口部１８ａおよび接続金具２２の垂直方向接続部２３の開口部２３ａに支柱２７の挿入部２７ｂを挿入すると、図２に示す状態となる。
【００３１】
次に、各支柱２７の挿入部２７ａに４本組の横方向上段ベッドフレーム３０の連結パイプ３１を嵌合し、下段側ベッドフレーム１１ａの左右の支柱２７相互間を横方向上段ベッドフレーム３０を連結する。この状態で、第１の縦方向上段ベッドフレーム３２と第２の縦方向上段ベッドフレーム３７のパイプ３６,４１,４２を床部シート４３ｂの袋状部４４に挿入する。
【００３２】
次に、横方向上段ベッドフレーム３０の連結パイプ３１に第１の縦方向上段ベッドフレーム３２の接続金具３３に設けられた垂直方向接続部３４の開口部３４ｂを嵌合するとともに、第２の縦方向上段ベッドフレーム３７の接続金具３８に設けられた垂直方向接続部３９の開口部３９ｂを嵌合する。そして、４本組の横方向上段ベッドフレーム３０は左右の第１の縦方向上段ベッドフレーム３２と第２の縦方向上段ベッドフレーム３７によって間隔を存して連結され、上段側ベッドフレーム１１ｂが構成され、図１に示すように、二段ベッドとなる。
【００３３】
したがって、下段側ベッドフレーム１１ａの床部シート４３ａおよび上段側ベッドフレーム１１ｂの床部シート４３ｂによって二段ベッドが完成し、それぞれの床部シート４３ａ、４３ｂは張設されて略水平状態となり大人が横臥できる。また、下段側ベッドフレーム１１ａと上段側ベッドフレーム１１ｂを分離すれば、図３に示すように、下段側ベッドフレーム１１ａと上段側ベッドフレーム１１ｂがベッドは勿論のこと、担架としても用いることができる。
【００３４】
さらに、ベッドフレーム１１を構成する部材は完全に分解して引き揃えることができ、床部シート１２は折り畳み或いは丸めることができるため、各構成部材を袋状物等にコンパクトに収納でき、狭いスペースでも保管できる。また、構成部材がアルミニウム等の軽量金属のパイプによって構成されているため軽量であり、運搬、持ち運びが容易である。したがって、災害時における緊急避難場所での二段ベッド、担架として有効である。
【００３５】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００３６】
【図１】本発明の第１の実施形態を示し、組立て式簡易ベッドの組立て時の斜視図。
【図２】同実施形態を示し、下段ベッドフレームと上段ベッドフレームとを分離した状態の斜視図。
【図３】同実施形態を示し、下段ベッドフレームと上段ベッドフレームとを分離し、担架とした状態の斜視図。
【図４】同実施形態を示し、組立て式簡易ベッドの組立て時の縦断側面図。
【図５】同実施形態を示し、（ａ）は図４のＡ部を拡大した断面図、（ｂ）は図４のＢ部を拡大した断面図。
【図６】同実施形態を示し、（ａ）（ｂ）（ｃ）は下段側ベッドフレームの構成部材の斜視図。
【図７】同実施形態を示し、（ａ）（ｂ）（ｃ）は上段側ベッドフレームの構成部材の斜視図。
【図８】同実施形態を示し、接続金具の拡大した斜視図。
【図９】同実施形態を示し、床部シートの斜視図。
【符号の説明】
【００３７】
１０…組立て式ベッド、１１…ベッドフレーム、１２…床部シート、１３…水平部、１４…垂直部、１５…横方向下段ベッドフレーム、１７，２２，３３，３８…接続金具、１８…垂直方向接続部、１９…水平方向接続部、２０，２５，２６、３６，４１，４２…パイプ、１６，２１…縦方向下段ベッドフレーム、２８…水平部、２９…垂直部、３０…横方向上段ベッドフレーム、３４…垂直方向接続部、３５…水平方向接続部、３２，３７…縦方向上段ベッドフレーム
【図１】
2009240719.tif 000003
【図２】
2009240719.tif 000004
【図３】
2009240719.tif 000005
【図４】
2009240719.tif 000006
【図５】
2009240719.tif 000007
【図６】
2009240719.tif 000008
【図７】
2009240719.tif 000009
【図８】
2009240719.tif 000010
【図９】
2009240719.tif 000011